(57)【要約】【課題】筐体の不正開放にかかる不正改造抑止用機能をより強固にする。【解決手段】情報処理装置は、筐体の開状態と閉状態の何れの状態であるか検出するとともに、外面に反射面を有するスイッチ手段と、筐体の閉状態において、任意の波長の光をスイッチの反射面に向けて送出するように配置された発光手段と、筐体の閉状態において、スイッチの反射面を介して発光手段から送出された光を受光するように配置された受光手段と、受光手段の受光量に基づいてスイッチ周囲の異常を検出する制御手段と、を有する。【選択図】図１
2019074828.tif 000002
【特許請求の範囲】
【請求項１】
筐体の開状態と閉状態の何れの状態であるか検出するとともに、外面に反射面を有するスイッチ手段と、
前記筐体の閉状態において、任意の波長の光を前記スイッチの反射面に向けて送出するように配置された発光手段と、
前記筐体の閉状態において、前記スイッチの反射面を介して前記発光手段から送出された光を受光するように配置された受光手段と、
前記受光手段の受光量に基づいて前記スイッチ周囲の異常を検知する制御手段と、
を含むことを特徴とする情報処理装置。
【請求項２】
前記スイッチの反射面は、耐タンパ用スイッチの外面に反射板を用いて形成することを特徴とする請求項１に記載の情報処理装置。
【請求項３】
前記スイッチには複数の反射面が設けられ、
前記発光手段は、複数の光路を前記スイッチの複数の反射面各々に向けて送出するように配置され、
前記受光手段は、前記スイッチの複数の反射面を介して前記発光手段から送出された複数の光を受光するように配置され、前記発光手段から送出された光をそれぞれ受光し、
前記制御手段は、前記受光手段の各々の受光量に基づいて前記スイッチ周囲の異常を検知する
ことを請求項１又は２に記載の情報処理装置。
【請求項４】
前記筐体の開状態と閉状態で前記発光手段との位置関係が変位する内面に１ないし複数の反射面が設けられ、
前記発光手段は、１又は複数の光路を、少なくとも前記スイッチの一反射面と少なくとも前記筐体の一反射面に向けて送出するように配置され、
前記受光手段は、少なくとも前記スイッチの一反射面と少なくとも前記筐体の一反射面を介して前記発光手段から送出された１又は複数の光を受光するように配置され、
前記制御手段は、前記受光手段の各々の受光量に基づいて前記スイッチ周囲の異常を検知する
ことを請求項１から３の何れか一項に記載の情報処理装置。
【請求項５】
筐体の開状態と閉状態の何れの状態であるか検出するとともに、前記筐体の閉状態において、任意の波長の光を送出する発光手段若しくは任意の波長の光を受光して検出する受光手段を外面に有するスイッチと、
前記筐体の閉状態において、前記スイッチの外面に設けられた前記発光手段若しくは前記受光手段との間で光路を形成するように配置された受光手段若しくは発光手段と、
前記受光手段の受光量に基づいて前記スイッチ周囲の異常を検知する制御手段と、
を含むことを特徴とする情報処理装置。
【請求項６】
前記制御手段は、前記受光手段の受光量と前記スイッチの状態に基づいて前記スイッチ周囲の異常を検知することを特徴とする請求項１から５の何れか一項に記載の情報処理装置。
【請求項７】
前記制御手段は、前記受光手段の受光量の減少を前記スイッチ周囲の異常として検知することを特徴とする請求項１から６の何れか一項に記載の情報処理装置。
【請求項８】
前記制御手段は、前記受光手段の受光量の増加を前記スイッチ周囲の異常として検知することを特徴とする請求項１から７の何れか一項に記載の情報処理装置。
【請求項９】
前記制御手段が検知した前記スイッチ周囲の異常を報知する報知手段を更に含むことを特徴とする請求項１から８の何れか一項に記載の情報処理装置。
【請求項１０】
筐体の開状態と閉状態の何れの状態であるか検出するとともに、外面に反射面を有するスイッチと、前記筐体の閉状態において、任意の波長の光を前記スイッチの反射面に向けて送出するように配置された発光手段と、前記筐体の閉状態において、前記スイッチの反射面を介して前記発光手段から送出された光を受光する受光手段と、前記受光手段の受光量に基づいて前記スイッチ周囲の異常を検知する制御手段と、を含む情報処理装置を用いて、
前記制御手段は、前記受光手段の受光量が、所定の閾値以上でないことを、前記スイッチ周囲の異常として検知する
ことを特徴とする情報処理装置内の不正加工検出方法。
【発明の詳細な説明】
【技術分野】
【０００１】
本発明は、タンパー検出のためのスイッチを具備する情報処理装置、及びタンパー検出機能に対する不正加工検出方法に関する。
【背景技術】
【０００２】
クレジットカードやキャッシュカード等の磁気カードに記録された磁気情報を読み取って各種の不正行為を行う者がいる。
【０００３】
不正行為を行う者は、様々な手法を用いるものの、一つの手法としてカードリーダ装置の筐体を開けて、装置内に不正なカードリーダ（スキミング用カードリーダ）を組み込む手口がある。この手口は、装置外観からはスキミング用カードリーダの存在が確認できないという大きな問題を生じる。
【０００４】
これに対して、出願人は以下の特許文献１で一つの対処法を開示している。この文献では、筐体内に、筐体の開状態と閉状態の何れの状態であるか検出するスイッチとその状態を識別する制御部とを設け、筐体が開状態となったことを検出した際に、カードリーダ装置を使用不能にして使用不能を表示する一対策手法を開示している。
【０００５】
また特許文献２では、耐タンパ用スイッチに対する不正行為を予防する手法を開示している。この文献では、耐タンパ用スイッチを樹脂等で固定した後に筐体を開ける不正手法に対処するために、耐タンパ用スイッチが物理的に稼働するか確認するためのテスト回路を筐体内に設けて、定期的に耐タンパ用スイッチが正常に機能するかを確認する不正加工検出方法を開示している。
【０００６】
また、特許文献３には、ハンディーターミナル（ハンディーリーダ）に係る一耐タンパ機能が開示されている。この文献に記載された不正防止機能では、筐体内に開状態と閉状態で位置が変化する突起を設けると共に、筐体が閉じた状態で前記突起がある状態の受光センサ（イメージングセンサ）の検出パターンを記憶する。そして、開状態でないかの検査時に現在の受光センサの検出パターンを閉じた状態の検出パターンと比較することで、現在の状態が閉じているか開いているかを制御回路で検出している。
【先行技術文献】
【特許文献】
【０００７】
【特許文献１】特許３５５９４９８号公報
【特許文献２】特許５３６０９２８号公報
【特許文献３】特開２０１０−６６９５６号公報
【発明の概要】
【発明が解決しようとする課題】
【０００８】
上記したように、特許文献１や特許文献２では、不正改造が施されない様に耐タンパ用スイッチなどを実装することによって、耐タンパ機能を実現できている。また、特許文献３では、ハンディーターミナルの受光センサによるイメージング機能を用いて耐タンパ機能を実現している。
【０００９】
発明者は、耐タンパ用スイッチを用いる不正加工防止手法に関して、より高い耐タンパ機能を実現する手法を検討した。特に、特許文献２の説明としても記載している、耐タンパ用スイッチを樹脂等で固定した後に筐体を開ける不正手法に対処する。
【００１０】
特許文献２では、耐タンパ用スイッチが物理的に稼働するか確認するためのテスト回路を筐体内に設けて、定期的に耐タンパ用スイッチが正常に機能するかを確認する不正加工検出方法を開示している。しかし、定期的に耐タンパ用スイッチが正常に機能するかを確認する必要があり、また即時性が低い点についても改善する。
【００１１】
本発明は、上記課題に鑑みて成されたものであり、その目的は、筐体の開放にかかる耐タンパ機能をより強固にした情報処理装置、及び不正加工検出方法を提供することである。
【課題を解決するための手段】
【００１２】
本発明の一実施形態に係る情報処理装置は、筐体の開状態と閉状態の何れの状態であるか検出するとともに、外面に反射面を有するスイッチ手段と、前記筐体の閉状態において、任意の波長の光を前記スイッチの反射面に向けて送出するように配置された発光手段と、前記筐体の閉状態において、前記スイッチの反射面を介して前記発光手段から送出された光を受光するように配置された受光手段と、前記受光手段の受光量に基づいて前記スイッチ周囲の異常を検知する制御手段と、を含むことを特徴とする。
【００１３】
本発明の一実施形態に係る情報処理装置内の不正加工検出方法は、筐体の開状態と閉状態の何れの状態であるか検出するとともに、外面に反射面を有するスイッチと、前記筐体の閉状態において、任意の波長の光を前記スイッチの反射面に向けて送出するように配置された発光手段と、前記筐体の閉状態において、前記スイッチの反射面を介して前記発光手段から送出された光を受光する受光手段と、前記受光手段の受光量に基づいて前記スイッチ周囲の異常を検知する制御手段と、を含む情報処理装置を用いて、前記制御手段は、前記受光手段の受光量が、所定の閾値以上でないことを、前記スイッチ周囲の異常として検知することを特徴とする。
【発明の効果】
【００１４】
本発明によれば、筐体の開放にかかる耐タンパ機能をより強固にした情報処理装置、及び不正加工検出方法を提供できる。
【図面の簡単な説明】
【００１５】
【図１】第１の実施形態の情報処理装置１の一構成例を示す機能ブロック図である。
【図２】第１の実施形態の情報処理装置１のスイッチ周りの不正検出に係る処理動作を示すフローチャートである。
【図３】第１の実施形態の情報処理装置１内のスイッチ周りに異物が注入された状態を示す模式図である。
【図４】第２の実施形態の情報処理装置１の一構成例を示した模式図である。
【図５】第３の実施形態の情報処理装置１の一構成例を示した模式図である。
【図６】第４の実施形態の情報処理装置１の一構成例を示した模式図である。
【図７】第５の実施形態の情報処理装置１の一構成例を示した模式図である。
【図８】第６の実施形態の情報処理装置１の一構成例を示した模式図である。
【図９】第６の実施形態の情報処理装置１の別の一構成例を示した模式図である。
【発明を実施するための形態】
【００１６】
本発明の実施形態を図面に基づいて説明する。
【００１７】
［第１の実施形態］ 
図１は本実施形態の情報処理装置の一構成例を示す機能ブロック図である。情報処理装置１は、デビットカードやクレジットカード等を扱う決済端末を含む、耐タンパ用スイッチによりタンパ機能を具備した情報処理装置である。この情報処理装置１は、必要に応じて有線／無線の通信手段を有して上位装置と接続する構成でもよいし、情報処理装置１単体で動作する装置であっても構わない。
【００１８】
図１に示すように、情報処理装置１は、筐体２の開閉状態を検出するスイッチ１０と、光センサ部１１と、制御部１２を含み構成される。また、情報処理装置１には、用途に応じた他の回路（リーダ部、通信部、報知部など）も搭載される。筐体２はどのような形状で有ってもよいものの、筐体２の開閉に合わせてスイッチ１０がその開閉を検出する構造を有する。
【００１９】
スイッチ１０は、耐タンパ用スイッチであり、筐体２の開状態と閉状態の何れの状態であるか検出するために、開状態にON接点と閉状態にOFF接点（若しくは開状態にOFF接点と閉状態にON接点）を割り当て用いられる。また、本スイッチ１０には、外面である底面に反射面が設けられている。なお、図１では、スイッチ１０の底面に反射面を設けているが他の面に反射面を設けることとしてもよい。
【００２０】
光センサ部１１は、発光部１１ａと受光センサ部１１ｂから構成される。この光センサ部１１の発光部１１ａは、筐体２の閉状態において、筐体内で任意の波長の光をスイッチ１０の反射面に向けて送出する位置に配置される。また、受光センサ部１１ｂは、筐体２の閉状態において、筐体内でスイッチ１０の反射面を介して発光部１１ａから送出された光を受光する位置に配置される。すなわち、受光センサ部１１ｂは、筐体が閉状態で発光部１１ａから送出された光をスイッチ１０の反射面を介して、検出可能に配設されている。
【００２１】
制御部１２は、受光センサ部１１ｂの検出状態に基づいてスイッチ周囲の異常を検知する。即ち、光センサ部１１が、受光センサ部１１ｂにおける光量（受光量）を制御部１２に通知し、制御部１２は、光量（受光量）が所定の閾値以上であるか否かを判定し、光量（受光量）が所定の閾値以上である場合を正常と判断し、光量（受光量）が所定の閾値以上でない場合を異常と判断する。なお、光センサ部１１が、受光センサ部１１ｂが所定の閾値以上の光量を検出しているときに、受光センサ部１１ｂが光を検出していることを意味する信号を出力し、受光センサ部１１ｂが所定量未満の光量を検出しているときに、受光センサ部１１ｂが光を検出していないことを意味する信号を出力し、制御部１２がこの信号を受信して、受光センサ部１１ｂが所定の閾値以上の光を検出している否かを判断するようにしてもよい。
【００２２】
またスイッチ周囲の異常検出について、受光センサ部１１ｂの検出状態とスイッチ１０の状態に基づいて制御部１２が識別するように構成してもよい。このように制御すれば、スイッチ１０の状態、即ち、筐体２が開状態と閉状態の何れの状態であるかも踏まえて異常を検出できる。
【００２３】
また、スイッチ周囲の異常検出は、受光センサ部１１ｂにおける光量（受光量）の減少、即ち、正常状態での受光センサ部１１ｂにおける光量（受光量）が、所定量以上減少したことをスイッチ周囲の異常として検知するように制御部１２を動作させることとしてもよい。また、スイッチ周囲の異常検出は、受光センサ部１１ｂにおける光量（受光量）の増加、即ち、受光センサ部１１ｂにおける光量（受光量）が所定の上限値以上となったことをもスイッチ周囲の異常として検知するように制御部１２を動作させることとしてもよい。このように制御すれば、受光センサ部１１ｂにおける光量（受光量）が増加した事象を異常として検出できる。このようにすることで、何らかの光源をスイッチの反射面による反射光として用いようとする行為に耐性を付与できる。
【００２４】
なお、制御部１２は、スイッチ周囲の異常を検知した後、これを報知する。制御部１２の報知とは、例えば、内部メモリに不正改造の恐れを示すフラグを記録することである。これに加えて、報知部（ＬＥＤ（Light Emitting Diode）やＬＣＤ（Liquid Crystal Display）、スピーカなど）を用いて、筺体が開かれたことを通知するための点灯や点滅、文字表示、警告などを行うようにしてもよい。また、制御部１２が、通信部を介して外部装置や上位装置に情報処理装置１のスイッチ近傍の異常を報知するように構成してもよい。すなわち、報知部や通信部の一方若しくは両方を制御部１２が検知したスイッチ周囲の異常を管理者に報知するための報知手段として動作させればよい。更には、制御部１２が、即座に情報処理装置１の機能停止を行ったり、メモリーの消去を行ったりしてもよい。制御部１２は、ＣＰＵ（Central Processing Unit）やマイコンを用いて構成すればよい。
【００２５】
この構成により、制御部１２は、スイッチ１０周囲が正常であるか否かをスイッチ１０による反射した光の光量の変化を基に判定することが可能となる。なお、光センサ部１１及び制御部１２を稼働させる電源は情報処理装置１の電源を共用としても、バッテリを搭載して別に電源を設けることとしてもよい。
【００２６】
次に、情報処理装置１内の不正加工検出方法を説明する。
【００２７】
図２は、本実施形態の情報処理装置１のスイッチ周りの不正検出に係る処理動作を示すフローチャートである。
【００２８】
制御部１２は、発光部１１ａによる発光を制御する（Ｓ１０１）。なお、発光部１１ａを常時発光させて不正を検出することとしてもよし、定期的に発光部１１ａを稼働させて不正を検出することとしてもよい。
【００２９】
次に、制御部１２は、受光センサ部１１ｂの検出値を取得して、光量（受光量）が所定の閾値以上であるか否か判定する（Ｓ１０３）。
【００３０】
すなわち、受光センサ部１１ｂの検出値が所定の閾値以上であれば、正常、即ち、スイッチ周りに不正改造（例えばスイッチ可動部を固定する樹脂等の注入）が成されていないと判断する（Ｓ１０３ ＹＥＳ）。
【００３１】
他方で受光センサ部１１ｂの検出値が所定の閾値以上でなければ（Ｓ１０３ ＮＯ）、制御部１２は、異常、即ち、スイッチ周りに不正改造が成されたことを検知して所定の不正改造に対する対処動作を実行する（Ｓ１０４）。
【００３２】
図３は、情報処理装置１内のスイッチ１０周囲に異物が注入された状態を示す模式図である。図示した異物は例示的に示した物であるものの、一般的に樹脂等は反射面ほどの反射特性を有しておらず、また正確に光センサ部１１に光を反射させるように異物表面を構成することは困難である。
【００３３】
この不正改造された状態は、スイッチ１０は常に筐体２が閉状態であるように動作する（物理的に開状態が検知不能になる）ものの、光センサ部１１の検出値を判別することで異常を識別可能になる。すなわち、スイッチ１０近傍に対する不正改造を光学的に検出可能にすることで、筐体２内部に不正な加工がされているか否かを判定することができる。
【００３４】
このように、本不正加工検出方法によれば、筐体の開放にかかる耐タンパ機能をより強固にした情報処理装置を提供できる。
【００３５】
［他の実施形態］ 
次に幾つか追加の実施形態を説明して本発明を説明する。以下の実施形態は説明済みの実施形態との差分について説明することとし、共通の部分に関しては説明を簡略化もしくは省略する。なお、以下の実施形態は適宜組み合わせることが可能である。
【００３６】
［第２の実施形態］ 
図４は、第２の実施形態の情報処理装置１を示した模式図である。
【００３７】
図４に示した情報処理装置１は、光センサ部１１内に形成されている発光部１１ａと受光センサ部１１ｂが一体となっていない点が第１の実施形態と異なる。図中では、発光部１１ａと受光センサ部１１ｂは近傍に配設しているが更に距離を開けることとしてもよい。
【００３８】
発光部１１ａは、筐体内の任意の位置から任意の波長の光をスイッチ１０の反射面に向けて送出する位置に配置される。また、受光センサ部１１ｂは、筐体内でスイッチ１０の反射面を介して発光部１１ａから送出された光を受光する位置に配置される。なお、スイッチ１０の反射面を発光部１１ａから受光センサ部１１ｂへの光路を形成するための角度や形状（凸や凹やアール）を必要に応じて形成してもよい。
【００３９】
このように、発光部１１ａと受光センサ部１１ｂとを別体として配置することで、不正改造を行う人間が光センサ部１１の存在に気づきにくく成る。また、第１の実施形態のスイッチ１０に対して略鉛直状に反射光の光路を形成する態様に対して、光路を任意の角度を付与した形状に形成可能になる。この光路に角度を付与することで、異常検出としない正常な光路を不正改造によってより形成しにくく出来る。また、発光部１１ａと受光センサ部１１ｂとを別体として配置することで、同種の情報処理装置毎にも別々の光路を形成し得るようになる。このことで、例えば同種の情報処理装置の内部構造を不正改造者に知られたとしても、個別の単体毎に光路を別々にすることで異常検出としない正常な光路を不正改造によって更により形成しにくく出来る。
【００４０】
このように、筐体が閉状態で発光部１１ａから送出された光を受光しているか検出可能に発光部１１ａと受光センサ部１１ｂとを別体として配設することで、より強固な耐タンパ性を付与できる。
【００４１】
［第３の実施形態］ 
図５は、第３の実施形態の情報処理装置１を示した模式図である。
【００４２】
図５に示した情報処理装置１は、スイッチ１０に形成される反射面を反射板１０ａを用いて形成する点が第２の実施形態と異なる。
【００４３】
このように、反射板１０ａを用いて反射面を形成することで、予め若しくは現場で反射方向や強さを調整可能になる。この反射面の調整と光センサ部１１（発光部１１ａと受光センサ部１１ｂ）の調整を図ることで、異常検出としない正常な光路を任意に設定可能にでき、以て不正改造によって正常状態をより形成しにくく出来る。また、同種の情報処理装置毎にも別々の光路を形成し易くなる。このことで、例えば同種の情報処理装置の内部構造を不正改造者に知られたとしても、個別の単体毎に光路を別々にすることで異常検出としない正常な光路を不正改造によって更により形成しにくく出来る。
【００４４】
このように、反射面の形成を、スイッチ１０の外面に反射板１１ａを用いて形成するように情報処理装置１を作ることで、より強固な耐タンパ性を付与できる。
【００４５】
［第４の実施形態］ 
図６は、第４の実施形態の情報処理装置１を示した模式図である。
【００４６】
図６に示した情報処理装置１は、光センサ部１１によって送受される光の光路が複数の反射面を介している点が第３の実施形態と異なる。また、情報処理装置１の筐体２に反射面を設けて光路の形成に使用している点が第３の実施形態と異なる。
【００４７】
図示した態様では、図中の筐体２右面に反射面を反射板で設けている。反射面は必ずしも反射板で設ける必要はないものの第３の実施形態で上述したように、反射板で反射面を形成する利点もある。なお、この筐体２に設けられる反射面は、筐体２の開状態と閉状態で発光部１１との位置関係が変位する内面であることが望ましい。このことで、スイッチ１０の接点状態と光センサ部１１の出力状態との突合せが制御部１２で可能になったり、不正改造者が内部の光路を知り難くすることが可能になる。また、筐体２の反射面は１カ所に限定すること無しに複数の反射面を設けることとしてもよい。
【００４８】
このように情報処理装置１の内部構造を、発光部１１ａが光路を少なくともスイッチ１０の一反射面と少なくとも筐体２の一反射面に向けて送出するように配置し、受光センサ部１１ｂが発光部１１ａから送出された光を受光するように配置し、制御部１２が受光センサ部１１ｂの受光量に基づいてスイッチ周囲の異常を検知するように、形成する。このことで、より複雑な光路を形成し得るようになる。結果、より強固な耐タンパ性を情報処理装置１に付与できる。
【００４９】
［第５の実施形態］ 
図７は、第５の実施形態の情報処理装置１を示した模式図である。
【００５０】
図７に示した情報処理装置１は、光センサ部１１によって送受される光路が複数である点が第４の実施形態と異なる。図中では、発光部１１ａと受光センサ部１１ｂは２つずつ設けているがこの組み合わせ以外であってもよい。例えば、発光部１１ａが２つ、受光センサ部１１ｂが１つのように個数が同一でない構成としてもよい。
【００５１】
スイッチ１０には設けられる複数の光路に合わせて１若しくは複数の反射面を設ければよい。複数の発光部１１ａは、筐体内の任意の位置から任意の波長の複数の光をスイッチ１０の反射面や筐体２の反射面に向けてそれぞれ送出する位置に配置される。また、１ないし複数の受光センサ部１１ｂは、筐体内に設けられた反射面を介して発光部１１ａから送出された光を受光する位置に配置される。
【００５２】
この構成を採ることで、制御部１２は、受光センサ部１１ｂの各々の受光量に基づいてスイッチ周囲の異常を検知することが可能になる。
【００５３】
結果、より複雑な光路を形成し、より強固な耐タンパ性を情報処理装置１に付与できる。
【００５４】
［第６の実施形態］ 
図８及び図９は、第６の実施形態の情報処理装置１を示した模式図である。
【００５５】
第６の実施形態の情報処理装置１は、光センサ部１１によって送受される光の光路がスイッチ１０の外面から光センサ部１１の対向装置に向けて形成するように構成されている。なお、光路は、筐体２に反射面を設けて、その反射面を介するように形成されるようにしてもよい。
【００５６】
図８に示した情報処理装置１の構成では、スイッチ１０の底面に発光部１１ａを備え付けている。すなわち、スイッチ１０の外面に任意の波長の光を送出する発光部１１ａを設けて、受光センサ部１１ｂが発光部１１ａからの光を受光するように配置されている。
【００５７】
他方、図９に示した情報処理装置１の構成では、スイッチ１０の底面に受光センサ部１１ｂを備え付けている。すなわち、スイッチ１０の外面に任意の波長の光を送出する受光センサ部１１ｂを設けて、発光部１１ａを受光センサ部１１ｂで光を受光するように配置している。
【００５８】
何れの構成においても、制御部１２は、受光センサ部１１ｂの受光量に基づいてスイッチ周囲の異常を検知するように構成されている。
【００５９】
この構成を採ることで、光路を容易に形成し、且つ強固な耐タンパ性を情報処理装置１に付与できる。
【００６０】
以上説明したように、本発明を適用した情報処理装置及び不正加工検出方法は、筐体の開放にかかる耐タンパ機能をより強固にできる。
【００６１】
なお、実施形態を例示して本発明を説明した。しかし、本発明の具体的な構成は前述の実施形態に限られるものではなく、この発明の要旨を逸脱しない範囲の変更があってもこの発明に含まれる。例えば、上述した実施形態の特徴の分離併合、スイッチの位置の変更、フローチャートの手順の入れ替えなどの変更は本発明の趣旨および説明される機能を満たせば自由であり、上記説明が本発明を限定するものではない。
【符号の説明】
【００６２】
１      情報処理装置
２      筐体
１０    スイッチ
１０ａ  反射板
１１    光センサ部
１１ａ  発光部
１１ｂ  受光センサ部
１２    制御部
【図１】
2019074828.tif 000003
【図２】
2019074828.tif 000004
【図３】
2019074828.tif 000005
【図４】
2019074828.tif 000006
【図５】
2019074828.tif 000007
【図６】
2019074828.tif 000008
【図７】
2019074828.tif 000009
【図８】
2019074828.tif 000010
【図９】
2019074828.tif 000011
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
筐体の開状態と閉状態の何れの状態であるか検出するとともに、外面に反射面を有するスイッチ手段と、
前記筐体の閉状態において、任意の波長の光を前記スイッチ手段の反射面に向けて送出するように配置された発光手段と、
前記筐体の閉状態において、前記スイッチ手段の反射面を介して前記発光手段から送出された光を受光するように配置された受光手段と、
前記受光手段の受光量に基づいて前記スイッチ手段周囲の異常を検知する制御手段と、
を含むことを特徴とする情報処理装置。
【請求項２】
前記スイッチ手段の反射面は、耐タンパ用スイッチ手段の外面に反射板を用いて形成することを特徴とする請求項１に記載の情報処理装置。
【請求項３】
前記スイッチ手段には複数の反射面が設けられ、
前記発光手段は、複数の光路を前記スイッチ手段の複数の反射面各々に向けて送出するように配置され、
前記受光手段は、前記スイッチ手段の複数の反射面を介して前記発光手段から送出された複数の光を受光するように配置され、前記発光手段から送出された光をそれぞれ受光し、
前記制御手段は、前記受光手段の各々の受光量に基づいて前記スイッチ手段周囲の異常を検知する
ことを請求項１又は２に記載の情報処理装置。
【請求項４】
前記筐体の開状態と閉状態で前記発光手段との位置関係が変位する該筐体の内面に１ないし複数の反射面が設けられ、
前記発光手段は、１又は複数の光路を、少なくとも前記スイッチ手段の一反射面と少なくとも前記筐体の一反射面に向けて送出するように配置され、
前記受光手段は、少なくとも前記スイッチ手段の一反射面と少なくとも前記筐体の一反射面を介して前記発光手段から送出された１又は複数の光を受光するように配置され、
前記制御手段は、前記受光手段の各々の受光量に基づいて前記スイッチ手段周囲の異常を検知する
ことを請求項１から３の何れか一項に記載の情報処理装置。
【請求項５】
筐体の開状態と閉状態の何れの状態であるか検出するとともに、前記筐体の閉状態において、任意の波長の光を送出する発光手段若しくは任意の波長の光を受光して検出する受光手段を外面に有するスイッチ手段と、
前記筐体の閉状態において、前記スイッチ手段の外面に設けられた前記発光手段若しくは前記受光手段との間で光路を形成するように配置された受光手段若しくは発光手段と、
前記受光手段の受光量に基づいて前記スイッチ手段周囲の異常を検知する制御手段と、
を含むことを特徴とする情報処理装置。
【請求項６】
前記制御手段は、前記受光手段の受光量と前記スイッチ手段の状態に基づいて前記スイッチ手段周囲の異常を検知することを特徴とする請求項１から５の何れか一項に記載の情報処理装置。
【請求項７】
前記制御手段は、前記受光手段の受光量の減少を前記スイッチ手段周囲の異常として検知することを特徴とする請求項１から６の何れか一項に記載の情報処理装置。
【請求項８】
前記制御手段は、前記受光手段の受光量の増加を前記スイッチ手段周囲の異常として検知することを特徴とする請求項１から７の何れか一項に記載の情報処理装置。
【請求項９】
前記制御手段が検知した前記スイッチ手段周囲の異常を報知する報知手段を更に含むことを特徴とする請求項１から８の何れか一項に記載の情報処理装置。
【請求項１０】
筐体の開状態と閉状態の何れの状態であるか検出するとともに、外面に反射面を有するスイッチ手段と、前記筐体の閉状態において、任意の波長の光を前記スイッチ手段の反射面に向けて送出するように配置された発光手段と、前記筐体の閉状態において、前記スイッチ手段の反射面を介して前記発光手段から送出された光を受光する受光手段と、前記受光手段の受光量に基づいて前記スイッチ手段周囲の異常を検知する制御手段と、を含む情報処理装置を用いて、
前記制御手段は、前記受光手段の受光量が、所定の閾値以上でないことを、前記スイッチ手段周囲の異常として検知する
ことを特徴とする情報処理装置内の不正加工検出方法。
【手続補正２】
【補正対象書類名】明細書
【補正対象項目名】００１２
【補正方法】変更
【補正の内容】
【００１２】
本発明の一実施形態に係る情報処理装置は、筐体の開状態と閉状態の何れの状態であるか検出するとともに、外面に反射面を有するスイッチ手段と、前記筐体の閉状態において、任意の波長の光を前記スイッチ手段の反射面に向けて送出するように配置された発光手段と、前記筐体の閉状態において、前記スイッチ手段の反射面を介して前記発光手段から送出された光を受光するように配置された受光手段と、前記受光手段の受光量に基づいて前記スイッチ手段周囲の異常を検知する制御手段と、を含むことを特徴とする。
【手続補正３】
【補正対象書類名】明細書
【補正対象項目名】００１３
【補正方法】変更
【補正の内容】
【００１３】
本発明の一実施形態に係る情報処理装置内の不正加工検出方法は、筐体の開状態と閉状態の何れの状態であるか検出するとともに、外面に反射面を有するスイッチ手段と、前記筐体の閉状態において、任意の波長の光を前記スイッチ手段の反射面に向けて送出するように配置された発光手段と、前記筐体の閉状態において、前記スイッチ手段の反射面を介して前記発光手段から送出された光を受光する受光手段と、前記受光手段の受光量に基づいて前記スイッチ手段周囲の異常を検知する制御手段と、を含む情報処理装置を用いて、前記制御手段は、前記受光手段の受光量が、所定の閾値以上でないことを、前記スイッチ手段周囲の異常として検知することを特徴とする。